(57)【要約】      （修正有）【課題】陶芸作品を焼成する焼成炉において、還元焼成および酸化焼成を行うにあたり、還元炎を発生するバーナを不用位置及び使用位置に容易に設置でき、且つ、バーナが不要な場合には、所定の位置でバーナを容易に保管できる陶芸用電気窯を提供する。【解決手段】焼成炉２の外方に配設され、焼成炉の外枠部を貫通する貫通孔に連結する筒状部２１を介して、還元炎を焼成炉内に向けて噴射するバーナ２２を備え、焼成炉の外枠部に固定される固定金具２５と、外枠部に直交する向きにスライド自在に固定金具に係合し、バーナの取り付けられる可動金具３０とを備え、固定金具に対して可動金具をスライドさせ、バーナのノズル２２ａを筒状部に連結させたり離間させたりするように構成されている。【選択図】図１
2006064292.tif 000002
【特許請求の範囲】
【請求項１】
陶芸作品を焼成する焼成炉と、
前記焼成炉の内方に配設され、通電によって発熱し炉内温度を上昇させる電気ヒータと、
前記焼成炉の外方に配設され、該焼成炉の外壁を貫通する貫通孔を介して、還元炎を前記焼成炉内に噴射するバーナと、
を備えた陶芸用電気窯であって、
前記焼成炉の外壁に固定される固定金具と、
前記外壁に離間及び近接する向きにスライド自在に前記固定金具に係合し、前記バーナの取り付け部を有する可動金具と
を備え、
前記固定金具に対して前記可動金具をスライドさせ、前記バーナの噴射口を前記貫通孔に連結させたり離間させたりするように構成されている、
ことを特徴とする陶芸用電気窯。
【請求項２】
前記固定金具には、
一端が前記焼成炉の外壁に固定され該外壁より水平に延出する板状部と、
前記板状部の他端において、下方に折り曲げられ垂直に延出する延出部と、
前記板状部の延出方向および前記延出部の折り曲げ方向に沿って形成され、前記延出部においてその縁端が連結されてなる貫通溝と、
が備えられ、
前記可動金具には、
前記固定金具における前記板状部の上面に重なる第二板状部と、
前記第二板状部の上面に前記バーナを固定する固定部と、
前記貫通溝に沿ってスライド自在に係合する係合部と、
が備えられている、
ことを特徴とする請求項１に記載の陶芸用電気窯。
【請求項３】
前記係合部のスライド動作に伴って、前記係合部が前記延出部において前記貫通溝に係合している際には、前記第二板状部が垂直に配設されると共に前記バーナの噴射口が上方に向くように構成され、前記係合部が前記板状部において前記貫通溝に係合している際には、前記第二板状部が前記板状部に重なって水平に配設されると共に前記噴射口が前記焼成炉の前記外壁に向かって水平に向くように構成されている、
ことを特徴とする請求項２に記載の陶芸用電気窯。
【請求項４】
前記焼成炉の前記貫通孔に対する前記バーナの噴射口の連結位置において、前記可動金具と前記固定金具とを互いに固定するための固定手段が備えられている、
ことを特徴とする請求項１乃至請求項３の何れか記載の陶芸用電気窯。
【発明の詳細な説明】
【技術分野】
【０００１】
本発明は、陶芸作品を焼成する陶芸用電気窯に関する。
【背景技術】
【０００２】
陶芸窯は、焼成炉内に収納した陶芸作品を酸化雰囲気で焼成したり還元化雰囲気で焼成したりすることにより、種々の色合いの陶芸作品を得ることができる。
【０００３】
陶芸用電気窯は、焼成用の熱源として電気ヒータが組み込まれて構成され、電気ヒータを用い空気中において陶芸作品を焼成すると酸化焼成が行われる。そこで、陶芸用電気窯において、還元焼成を行う際に、焼成炉の外部に還元炎を発生するバーナ装置を備え、炉壁に形成された貫通孔を介して炉内に還元炎を送出するように構成されたものがある（例えば、特許文献１参照）。
【０００４】
また、上述のように構成された陶芸用電気窯は、一般に、酸化焼成を行う際には、炉内の温度を均一に維持できるように前記貫通孔には断熱材の挿入が行われ、焼成炉内の雰囲気の酸化と還元とを切り換える毎に、焼成炉に対するバーナの着脱が繰り返される。
【特許文献１】特開平２００４−１９７９５９号公報
【発明の開示】
【発明が解決しようとする課題】
【０００５】
上述の陶芸用電気窯によれば、酸化焼成と還元焼成とを切り換える毎に焼成炉に対するバーナの着脱を繰り返さなければならないので、この際の作業性に改善の余地があった。
【０００６】
そこで、本発明は、焼成炉に対して、バーナを不用位置及び使用位置に容易に設置でき、且つ、バーナが不用な場合には、所定の位置でバーナを容易に保管できる陶芸用電気窯を提供することを目的とする。
【課題を解決するための手段】
【０００７】
かかる目的を達成するためになされた請求項１に記載の発明は、陶芸作品を焼成する焼成炉と、前記焼成炉の内方に配設され、通電によって発熱し炉内温度を上昇させる電気ヒータと、前記焼成炉の外方に配設され、該焼成炉の外壁を貫通する貫通孔を介して、還元炎を前記焼成炉内に噴射するバーナと、を備えた陶芸用電気窯であって、前記焼成炉の外壁に固定される固定金具と、前記外壁に離間及び近接する向きにスライド自在に前記固定金具に係合し、前記バーナの取り付け部を有する可動金具とを備え、前記固定金具に対して前記可動金具をスライドさせ、前記バーナの噴射口を前記貫通孔に連結させたり離間させたりするように構成されている、ことを特徴とする。
【０００８】
請求項１に記載の陶芸用電気窯によれば、焼成炉の外壁に固定される固定金具と、外壁に直交する向きにスライド自在に固定金具に係合し、バーナの取り付け部を有する可動金具とを備え、固定金具に対して前記可動金具をスライドさせ、バーナの噴射口を前記貫通孔に連結させたり離間させたりするように構成されているので、還元焼成を行うためにバーナを使用する際には、バーナの噴射口を貫通孔に連結させ、酸化焼成を行う際には、バーナの噴射口を貫通孔から離間させることができ、延いては、バーナを不用位置及び使用位置に容易に設置できる。また、バーナが不要な場合には、バーナの噴射口を貫通孔から離間させ、バーナを可動金具及び固定金具に連結したままで容易に保管できる。
【０００９】
次に、請求項１に記載の陶芸用電気窯は、請求項２に記載の発明のように、前記固定金具には、一端が前記焼成炉の外壁に固定され該外壁より水平に延出する板状部と、前記板状部の他端において、下方に折り曲げられ垂直に延出する延出部と、前記板状部の延出方向および前記延出部の折り曲げ方向に沿って形成され、前記延出部においてその縁端が連結されてなる貫通溝と、が備えられ、前記可動金具には、前記固定金具における前記板状部の上面に重なる第二板状部と、前記第二板状部の上面に前記バーナを固定する固定部と、前記貫通溝に沿ってスライド自在に係合する係合部と、が備えられていることにより、固定金具に対して可動金具を容易にスライドでき、係合部が延出部の縁端の連結部に当接する位置において、バーナを可動金具及び固定金具に連結したままで保管できる。
【００１０】
次に、請求項２に記載の陶芸用電気窯は、請求項３に記載の発明のように、前記係合部のスライド動作に伴って、前記係合部が前記延出部において前記貫通溝に係合している際には、前記第二板状部が垂直に配設されると共に前記バーナの噴射口が上方に向くように構成され、前記係合部が前記板状部において前記貫通溝に係合している際には、前記第二板状部が前記板状部に重なって水平に配設されると共に前記噴射口が前記焼成炉の前記外壁に向かって水平に向くように構成されていることにより、バーナの使用を必要としない保管位置においては、バーナを焼成炉の外壁に沿って配設し保管のためのスペースを小さくできる。また、バーナを使用する際には、前記バーナの噴射口が上方に向いた保管位置でバーナを着火させ着火状態を調整できるので、その作業性を良好に得ることができる。
【００１１】
また、請求項１乃至請求項３の何れか記載の陶芸用電気窯は、請求項４に記載の発明のように、前記焼成炉の前記貫通孔に対する前記バーナの噴射口の連結位置において、前記可動金具と前記固定金具とを互いに固定するための固定手段が備えられていることにより、可動金具と固定金具とを固定しバーナを安全に使用できる。
【発明の効果】
【００１２】
本発明の陶芸用窯によれば、焼成炉の外壁に固定される固定金具と、外壁に近接及び離間する向きにスライド自在に固定金具に係合し、バーナの取り付け部を有する可動金具とを備え、固定金具に対して前記可動金具をスライドさせ、バーナの噴射口を前記貫通孔に連結させたり離間させたりするように構成されているので、還元焼成を行うためにバーナを使用する際には、バーナの噴射口を貫通孔に連結させ、酸化焼成を行う際には、バーナの噴射口を貫通孔から離間させることができ、延いては、バーナを不用位置及び使用位置に容易に設置できる。また、バーナが不要な場合には、バーナの噴射口を貫通孔から離間させ、バーナを容易に保管できる。また、固定金具には、一端が焼成炉の外壁に固定され該外壁より水平に延出する板状部と、板状部の他端において、下方に折り曲げられ垂直に延出する延出部と、板状部の延出方向および延出部の折り曲げ方向に沿って形成され、延出部の縁端が連結されてなる貫通溝とが備えられているので、係合部が延出部の縁端の連結部に当接する位置において、バーナを可動金具及び固定金具に連結したままで保管できる。
【００１３】
また、本発明の陶芸用電気窯によれば、係合部のスライド動作に伴って、係合部が延出部において貫通溝に係合している際には、第二板状部が垂直に配設されると共にバーナの噴射口が上方に向くように構成され、係合部が板状部において貫通溝に係合している際には、第二板状部が板状部に重なって水平に配設されると共に噴射口が焼成炉の前記外壁に向かって水平に向くように構成されているので、バーナを不用とするバーナの保管位置においては、バーナが焼成炉を外壁に沿って配設でき保管のためのスペースを小さくできる。また、バーナを使用する際には、前記バーナの噴射口が上方に向いた保管位置でバーナを着火させ着火状態を調整でき、その作業性を良好に得ることができる。
【発明を実施するための最良の形態】
【００１４】
次に、本発明の陶芸用電気窯の一実施例を図面にもとづいて説明する。図１は本発明の一実施例の陶芸用電気窯におけるバーナの取り付け構造を表す図であって、図１（ａ）は上方から見た外観図、図１（ｂ）は図１（ａ）における矢視Ｙ図、図１（ｃ）は図１（ａ
）における矢視Ｘ図である。図２は図１における固定金具の構造を表す図であって、図２（ａ）は上方から見た外観図、図２（ｂ）は図２（ａ）における矢視Ｙ図、図２（ｃ）は図２（ａ）における矢視Ｘ図である。図３は図１における可動金具の構造を表す図であって、図３（ａ）は上方から見た外観図、図３（ｂ）は図３（ａ）における矢視Ｘ図、図３（ｃ）は図３（ａ）における矢視Ｙ図である。図４は同実施例の陶芸用電気窯の外観及び内部構造を表す部分断面図であって、図４中の符号Ｐ−Ｐを介して、右方に外観図、左方に断面図を表している。
【００１５】
図４に表したように、陶芸用電気窯１は、焼成炉２、焼成炉２の側部に開閉自在に装着された扉３、焼成炉２の一方の側壁に装着され焼成炉２内の温度を制御する温度制御装置４、焼成炉２の他方の側壁に装着され還元炎を噴射するバーナ装置５、焼成炉２内に配設され温度制御装置４を介して通電され、発熱して焼成炉２内を加熱する電気ヒータ６、等を備えている。なお、電気ヒータ６は、ニクロム線をらせん状に巻いて形成されている。
【００１６】
焼成炉２は、前面側が開口した箱状に形成され、金属製の外枠部（所謂、本発明の外壁である。）７と、外枠部７の内側に貼り付けられた耐熱ボード８と、さらに耐熱ボード８の内側に積み重ねられた耐火レンガ９とから構成されている。
【００１７】
扉３は、焼成炉２の前面側の開口部を覆うように設けられ、上下二つのヒンジ１０ａ、１０ｂを回転軸に、前後に回動自在に構成されている。また、扉３には、焼成炉２内の加熱状態を観察するための色見孔１１と、焼成炉２内のガスを排出させるためのガス抜き孔１２とが設けられている。
【００１８】
温度制御装置４は、回路基板が内蔵され、表面には操作パネル４ａが設けられている。操作パネル４ａには、各工程の温度を設定するための温度設定キー、各工程の時間設定キー、スタート／ストップキー等が設けられている。
【００１９】
また、焼成炉２は、その下方に、空隙Ｑを介して２段の耐火レンガ９に囲まれた空間部Ｑが構成され、この空間部Ｑに後述のバーナ装置５から噴射された還元炎Ｕを流入させ、耐火レンガ９に形成された通気孔１６を介して、還元炎Ｕを焼成炉２の内部に流入させることができるように構成されている。
【００２０】
また、焼成炉２は、空間部Ｑを覆う側方の耐火レンガ９及び外枠部７に貫通孔２０が形成され、この貫通孔２０に連結した筒状部２１が外枠部７から外方に突出して備えられている。また、筒状部２１に対向するように前述のバーナ装置５のノズル２２ａが設置されている。また、外枠部７及び耐火レンガ９には、焼成炉２内の温度を計測するための、熱電対挿入孔２４が設けられている。
【００２１】
次に、図１に表したように、バーナ装置５は、バーナ２２、焼成炉２の外枠部７に固定された固定金具２５、固定金具２５に係合しバーナ５０の取り付け部を有する可動金具３０、バーナ２２を可動金具３０に固定する固定具２６、固定金具２５と可動金具３０とを互いに固定するチョウナット２７等によって構成されている。固定具２６は、略Ｕの字状に形成され、その両端にはナット３１が羅合するネジが形成されている。
【００２２】
バーナ２２は、先端から還元炎を噴射するノズル（所謂、本発明の噴射口である。）２２ａと、図示しないガスチューブを介してガスボンベと接続されプロパンガスを流入する流入口２２ｂと、プロパンガスの流入を開閉するコックバルブ２２ｃとを備えている。また、流入口２２ｂに流入するプロパンガスの圧力を調整するための圧力調整器が流入口２２ｂと図示されないガスボンベとの間に備えられている。
【００２３】
次に、図２に表したように、固定金具２５には、焼成炉２の外枠部７に固定される一端部２５ａと、一端部２５ａが焼成炉２の外枠部７に固定されて外枠部７より水平に延出する板状部２５ｂと、板状部２５ｂの他端において、下方に折り曲げられ垂直に延出する延出部２５ｃと、板状部２５ｂの延出方向および延出部２５ｃの折り曲げ方向に沿って形成され、縁端が連結部２５ｊ、２５ｋによって連結された一対の貫通溝２５ｆ、２５ｇとが備えられている。
【００２４】
また、一端部２５ａには、外枠部７にボルトを介して固定するための固定用孔２５ｑ、２５ｒが備えられている。また、板状部２７にはチョウナット２７が羅合するネジ部が形成され、このネジ部にチョウナット２７が羅合し、可動金具３０を締め付けて固定金具２５に固定できるように構成されている。
【００２５】
また、貫通溝２５ｆ、２５ｇは、一端部２５ａ側に位置する一端において、延出方向に直交する幅Ｗが可動金具３０に備えた係合部３０ｆの幅（図３中の符号Ａ）より大きく、且つ延出方向の幅Ｔが可動金具３０に備えた係合部３０ｆの厚み（図３中の符号Ｃ）より大きく形成された幅広部Ｖ１を有し、係合部３０ｆが挿入可能に形成されている。また、貫通溝２５ｆ、２５ｇは、幅広部Ｖ１に連結して、幅広部Ｖ１における幅寸法Ｗより狭く、且つ、図３に表した可動金具３０の係合部３０ｆにおける、Ｂ寸法よりも大きくＡ寸法よりも小さく形成された幅小部Ｖ２を有する。
【００２６】
次に、可動金具３０には、図３に表したように、固定金具２５における板状部２５ｂの上面に重なる第二板状部３０ｂと、第二板状部３０ｂの上面にバーナ２２を載置する載置部（所謂、本発明のバーナの取り付け部である。）３０ｃと、固定具の両端を挿入する挿入孔３０ｄと、固定金具２５の貫通溝２５ｆ、２５ｇにスライド自在に係合する係合部３０ｆと、チョウナット２７の軸部が挿入され、チョウナット２７を介して固定金具２５に固定するための固定用孔３０ｇとが備えられている。尚、本発明の固定手段は、チョウナット２７、可動金具３０に備えられた固定用孔３０ｇ、固定金具２５に備えられチョウナット２７が羅合するネジ部等によって、その機能が発現される。
【００２７】
係合部３０ｆは、孔を３０ｈ介して下方に折り曲げられ、先端側に位置する幅広の幅広部３０ｊと、基端側に位置する幅小の幅小部３０ｋとによって構成され、幅広部３０ｊのＡ寸法が固定金具２５に備えられた貫通溝２５ｆ、２５ｇのＷ寸法よりも僅かに小さくてＳ寸法より大きく形成され、幅小部３０ｋのＢ寸法が固定金具２５に備えられた貫通溝２５ｆ、２５ｇのＳ寸法より僅かに小さく形成され、幅小部３０ｋの長さ寸法Ｈが固定金具２５の板状部２５ｂ及び延出部２５ｃの厚みよりも僅かに大きく形成されている。
【００２８】
そして、可動金具３０は、係合部３０ｆが、固定金具２５に備えた貫通溝２５ｆ、２５ｇの幅広部Ｖ１に挿入されて、貫通溝２５ｆ、２５ｇの延出方向にスライドし、貫通溝２５ｆ、２５ｇの幅小部Ｖ２に至ると、幅広部３０ｊの基端部が固定金具２５の板状部２５ｂ及び延出部２５ｃの裏面に当接し、上下方向に係止しつつ貫通溝２５ｆ、２５ｇの延出方向にスライドするよう構成されている。
【００２９】
また、可動金具３０の係合部３０ｆは固定金具２５の他端側スライドして延出部２５ｃにおける貫通溝２５ｆ、２５ｇに至ると、図１中の二点鎖線（符号Ｚ部）で表したように、第二板状部３０ｂが水平向きから垂直向きに回動し、バーナ２２のノズル２２ａが上方に向くように配設される。
【００３０】
次に、バーナ装置５を焼成炉２の外枠部７に取り付ける取り付け方法について、図１を参照して説明する。まず、予めバーナ２２を可動金具３０に固定する。この際ノズル２２ａの軸部を第二板状部３０ｂに沿って平行に配設し、Ｕの字の固定具２６を、バーナ２２の上方に当てて両端を挿入孔３０ｄに通過させ、挿入孔３０ｄから突き出した固定具２６の両端部にナット３１を羅合させてバーナ２２を固定金具２５に固定する。
【００３１】
次いで、固定金具２５の上面に可動金具３０及びバーナ２２を載置し、固定金具２５に備えた貫通溝２５ｆ、２５ｇの幅広部Ｖ１に可動金具３０の係合部３０ｆを挿入し、係合部３０ｆが挿入方向に抜けないように、係合部３０ｆを固定金具３０の貫通溝２５ｆ、２５ｇの幅小部Ｖ２の位置にスライドさせ、係合部３０ｆを貫通溝２５ｆ、２５ｇに係合させる。
【００３２】
次いで、固定金具２５を可動金具３０及びバーナ２２と共に焼成炉２における取り付け位置に配設し、外枠部７に固定金具２５の一端部２５ａ及び取り付け孔２５ｑ、２５ｒ及びボルト（図示せず）を介して固定する。これにより、固定金具２５が外枠部７に固定されて、固定金具２５の板状部２５ｂ及び可動金具３０の第二板状部３０ｂが水平方向に配設される。
【００３３】
次いで、還元焼成を行う際には、バーナ２２に着火させて、ノズル２２ａの先端と筒状部２１との間隙ｅを調整し、チョウナット２７を用いて可動金具３０を固定金具２５に固定する。また、本バーナ装置５は、間隙ｅを変化させることによって、還元炎に空気を混合させ、所望の還元炎に調整できるように構成されている。
【００３４】
次いで、酸化焼成を行う際又はバーナ２２を不要として保管する際には、チョウナット２２を緩めて、固定金具２５に対して可動金具３０を焼成炉２２の外枠部７に離間する方向にスライドさせ、可動金具３０の係合部３０ｆを、固定金具２５の延出部２５ｃにおける貫通溝２５ｆ、２５ｇの連結部２５ｊ、２５ｋに当接させると、図１（ｂ）の二点鎖線（符号Ｚ部）に表したように、可動金具３０の第二板状部３０ｂが垂直に配設され、第二板状部３０ｂが固定金具２５延出部２５ｃに重なって当接し、バーナ２２の自重によってバーナ２２及び可動金具３０が固定金具２５に係止される。そして、この位置がバーナ２２の保管位置になる。
【００３５】
次いで、還元焼成を行う際には、可動金具３０の係合部３０ｆを固定金具２５の延出部２５ｃから板状部２５ｂに沿ってスライドさせ、ノズル２２と焼成炉２の筒状部２１との間隙ｅを所定の寸法に合わせ、チョウナット２７で可動金具３０を固定金具２５に固定すればよい。また、この際、バーナ２２の保管位置でバーナ２２に着火させ、その着火状態を前述の圧力調整器で調整すると、作業性がよい。
【００３６】
以下に、前記の構成を有する実施例の陶芸用窯１の作用効果を記載する。
【００３７】
実施例に記載の陶芸用窯１によれば、焼成炉２の外枠部７に固定される固定金具２５と、外枠部７に直交する向きにスライド自在に固定金具３０に係合し、バーナ２２の取り付け部を有する可動金具３０とを備え、固定金具３０に対して可動金具３０をスライドさせ、バーナ２２のノズル２２ａを焼成炉２の貫通孔２０に連結した筒状部２１に連結させたり離間させたりするように構成されているので、還元焼成を行うためにバーナ２２を使用する際には、筒状部２１を介してバーナ２２のノズル２２ａを貫通孔２０に連結させ、酸化焼成を行う際には、バーナ２２のノズル２２ａを筒状部２１から離間させることができ、延いては、バーナ２２を不用位置及び使用位置に容易に切り換えできる。また、バーナ２２が不要な場合には、バーナ２２を焼成炉２の外枠部７から離間させ、可動金具３０を外枠部７に沿って垂直に配設し、バーナ２２を可動金具３０及び固定金具２５に連結したままで容易に保管できる。
【００３８】
また、実施例に記載の陶芸用窯１によれば、固定金具２５には、一端が焼成炉２の外枠部７に固定され外枠部７より水平に延出する板状部２５ｂと、板状部２５ｂの他端において、下方に折り曲げられ垂直に延出する延出部２５ｃと、板状部２５ｂの延出方向および延出部２５ｃの折り曲げ方向に沿って形成され、その縁端が連結されてなる貫通溝２５ｆ、２５ｇと、が備えられ、可動金具３０には、固定金具２５における板状部２５ｂの上面に重なる第二板状部３０ｂと、第二板状部３０ｂの上面にバーナ２２を固定する固定部と、貫通溝２５ｆ、２５ｇに沿ってスライド自在に係合する係合部３０ｆと、を備えられているので、固定金具２５に対して可動金具３０を容易にスライドでき、係合部３０ｆが延出部２５ｃの縁端の連結部２５ｊ、２５ｋに当接する位置において、バーナを保管できる。
【００３９】
また、実施例に記載の陶芸用電気窯１によれば、可動金具３０の係合部３０ｆのスライド動作に伴って、係合部３０ｆが固定金具２５の延出部２５ｃにおいて貫通溝２５ｆ、２５ｇに係合している際には、第二板状部３０ｂが垂直に配設されると共にバーナ２２のノズル２２ａが上方に向くように構成されているので、バーナ２２を不用とするバーナ２２の保管位置においては、バーナ２２を焼成炉２の外枠部７に沿って配設しバーナ２２の保管のためのスペースを小さくできる。また、バーナ２２を使用する際には、バーナの噴射口が上方に向いた保管位置でバーナを着火させ着火状態を調整でき、且つ、容易に使用位置に設置できるので、その作業性を良好に得ることができる。
【００４０】
また、実施例の陶芸用電気窯１によれば、可動金具３０と固定金具２５とを互いに固定するためのチョウナット２７、可動金具３０に備えられた固定用孔３０ｇ、固定金具２５に備えられチョウナット２２が羅合するネジ部等が備えられているので、可動金具３０と固定金具２５とを固定しバーナ２２を安全に使用できる。
【００４１】
以上、本発明の一実施例について説明したが、本発明は、上記実施例に限定されるものではなく、種々の態様をとることができる。
【図面の簡単な説明】
【００４２】
【図１】本発明の一実施例の陶芸用電気窯におけるバーナの取り付け構造を表す図であって、図１（ａ）は上方から見た外観図、図１（ｂ）は図１（ａ）における矢視Ｙ図、図１（ｃ）は図１（ａ）における矢視Ｘ図である。
【図２】図１における固定金具の構造を表す図であって、（ａ）は上方から見た外観図、（ｂ）は（ａ）における矢視Ｙ図、（ｃ）は（ａ）における矢視Ｘ図である。
【図３】図１における可動金具の構造を表す図であって、（ａ）は上方から見た外観図、（ｂ）は（ａ）における矢視Ｘ図、（ｃ）は（ａ）における矢視Ｙ図である。
【図４】同実施例の陶芸用電気窯の外観及び内部構造を表す部分断面図であって、図４中の符号Ｐ−Ｐを介して、右方が外観図、左方が断面図である。
【符号の説明】
【００４３】
１…陶芸用電気窯、２…焼成炉、３…扉、４…温度制御装置、４ａ…操作パネル、５…バーナ装置、６…電気ヒータ、７…外枠部、８…耐熱ボード、９…耐火レンガ、１０ａ、１０ｂ…ヒンジ、１１…色見孔、１２…ガス抜き孔、２０…貫通孔、２１…筒状部、２２…バーナ、２２ａ…ノズル、２２ｂ…流入口、２２ｃ…コックバルブ、２４…熱電対挿入孔、２５…固定金具、２５ａ…一端部、２５ｂ…板状部、２５ｃ…延出部、２５ｊ、２５ｋ…連結部、２５ｆ、２５ｇ…貫通溝、２５ｑ、２５ｒ…固定用孔、２６…固定具、２７…チョウナット、３０…可動金具、３０ｂ…第二板状部、３０ｃ…載置部、３０ｄ…挿入孔、３０ｆ…係合部、３０ｇ…固定用孔、３０ｊ…幅広部、３０ｋ…幅小部、３０ｈ…孔、３１…ナット。
【図１】
2006064292.tif 000003
【図２】
2006064292.tif 000004
【図３】
2006064292.tif 000005
【図４】
2006064292.tif 000006